(57)【要約】      （修正有）【課題】寝たままの姿勢にあっても着脱容易であり、装飾性の高いドレスを提供する。【解決手段】ドレス１０は前身頃１１と後身頃１２とを有する。後身頃は、ウエストよりも上方を覆うための後方上部１２ａとウエストとウエストよりも下方を覆うための後方下部１２ｂとを有し、１枚の継ぎ目のない布地により形成される。前身頃はウエストよりも上方を覆う前方上部１１ａと前方下部１１ｂとを有する。前方上部の横方向の寸法は、後方上部と同じか、それよりも大きく、前方下部は横方向の寸法が後方下部よりも大きく、ひだが形成される。前身頃と後身頃は、横方向の一方が縫合され、もう一方は連結部材を介して連結される。【選択図】図１
0003230424.tif 000002
【実用新案登録請求の範囲】
【請求項１】
ドレス着用者身体の腹側を被覆する前身頃と背中側を被覆する後身頃とを有し、前記前身頃と前記後身頃とが肩ひもを介してつながっていて、前記前身頃と前記後身頃とのそれぞれが、互いに直交する上下方向と横方向とを有するとともに、前記身体におけるウエストよりも上方の部位を覆うための前方上部と後方上部、および前記ウエストと前記ウエストよりも下方の部位を覆うための前方下部と後方下部とのそれぞれを有するドレスであって、
前記後身頃は、前記後方上部が前記肩ひもの一部分を含む継ぎ目のない少なくとも１枚の布地によって形成されており、
前記前身頃は、前記前方上部が前記肩ひもの一部分を含み、前記前方下部を形成している布地とは別体の布地を前記前方下部に対して縫合することによって形成されており、
前記前身頃と前記後身頃とは、前記横方向の両側のうちの一方において縫合されて一体となる一方、前記両側のうちのもう一方においては、連結部材を介して繰り返しの連結が可能に形成されるとともに、前記肩ひもの一部分どうしも連結部材を介して繰り返しの連結が可能に形成されており、
前記横方向における前記前身頃と前記後身頃との間では、前記前方上部を形成している前記布地の寸法が前記後方上部を形成している前記布地の寸法と同じであるか前記布地の寸法よりも大きく、前記前方下部を形成している前記布地の寸法は前記後方下部を形成している前記布地の寸法よりも大きくて、前記前方下部が前記横方向および前記上下方向のいずれかにおいて起伏を繰り返す態様にあることを特徴とする前記ドレス。
【請求項２】
前記前方下部が前記横方向において起伏を繰り返す状態は、前記横方向に並ぶ複数条のタックおよびギャザーのいずれかによって形成されている請求項１記載のドレス。
【請求項３】
前記ドレスは、前記後身頃を下側にして平面上に広げると、前記後身頃の全体が前記平面に倣って平坦となる一方、前記前身頃における前記前方下部が前記平面の上方に向かって凸となるように膨らんだ状態になるものである請求項１又は２記載のドレス。
【請求項４】
前記肩ひもは、前記ドレスとは別体のスリーブ部材の着脱が可能に形成されている請求項１−３のいずれかに記載のドレス。
【請求項５】
前記上方前部および前記上方後部のうちの少なくとも一方における内面には、前記上方前部および前記上方後部のいずれかにおける首周りに沿って、見返しが縫合されている請求項１−４のいずれかに記載のドレス。
【考案の詳細な説明】
【技術分野】
【０００１】
本考案は、ドレスに関し、より詳しくはドレスを着用しようとするものが寝たままの状態にあっても着脱することが容易であって、しかも高い装飾効果を発揮することのできる前記ドレスに関する。
【背景技術】
【０００２】
衣服を着用させる対象者が寝たままの状態にあっても、その衣服の着用が容易となるように考案された衣服は公知である。
【０００３】
例えば、特許文献１に記載の介護用上着と介護用ワンピースは、ベッドや布団の上に予め開いた状態で置いておき、そのワンピースの上に要介護者を仰臥位で載せて着用させるもので、長袖の袖口から前身頃の下端部にまで延びる開閉ラインにおいて長袖から前身頃の下端部までの間を開閉することができる。また、前身頃の中央部は、袖口から下端部までが開閉可能に形成されている。
【０００４】
特許文献２記載の介護用衣服は、対照的な形状を有する前身頃と後身頃とが別体で作られていて、これら前身頃と後身頃とがそれぞれの肩部と左右両側縁部とに連結手段を有する。この衣服を着用した者は、寝たままの姿勢にあっても、連結手段を解くことによって、前身頃だけを交換したり、後身頃だけを交換したりすることができる。
【先行技術文献】
【特許文献】
【０００５】
【特許文献１】特開２０２０−７６６４号公報
【特許文献２】特開２００７−１５４３２５号公報
【考案の開示】
【考案が解決しようとする課題】
【０００６】
特許文献１，２に記載の介護用ワンピースや介護用衣服は、いわゆる実用的なものであって、寝たままの姿勢にあっても衣服を着用して着飾りたいと思う場合にふさわしいものとは言い難い。そこで、この考案では、寝たままの姿勢にあっても着脱することが容易であって、しかも着飾ることを可能にするような高い装飾効果のあるドレスの提供を課題にしている。
【課題を解決するための手段】
【０００７】
前記課題を解決するために、本考案が対象とするのは、ドレス着用者身体の腹側を被覆する前身頃と背中側を被覆する後身頃とを有し、前記前身頃と前記後身頃とが肩ひもを介してつながっていて、前記前身頃と前記後身頃とのそれぞれが、互いに直交する上下方向と横方向とを有するとともに、前記身体におけるウエストよりも上方の部位を覆うための前方上部と後方上部、および前記ウエストと前記ウエストよりも下方の部位を覆うための前方下部と後方下部とのそれぞれを有するドレスである。
【０００８】
かかるドレスにおいて、本考案が特徴とするところは、以下のとおりである。すなわち、前記後身頃は、前記後方上部が前記肩ひもの一部分を含む継ぎ目のない少なくとも１枚の布地によって形成されている。前記前身頃は、前記前方上部が前記肩ひもの一部分を含み、前記前方下部を形成している布地とは別体の布地を前記前方下部に対して縫合することによって形成されている。前記前身頃と前記後身頃とは、前記横方向の両側のうちの一方において縫合されて一体となる一方、前記両側のうちのもう一方においては、連結部材を介して繰り返しの連結が可能に形成されるとともに、前記肩ひもの一部分どうしも連結部材を介して繰り返しの連結が可能に形成されている。前記横方向における前記前身頃と前記後身頃との間では、前記前方上部を形成している前記布地の寸法が前記後方上部を形成している前記布地の寸法と同じであるか前記布地の寸法よりも大きく、前記前方下部を形成している前記布地の寸法は前記後方下部を形成している前記布地の寸法よりも大きくて、前記前方下部が前記横方向および前記上下方向のいずれかにおいて起伏を繰り返す態様にある。
【０００９】
本考案の実施態様の一つにおいて、前記前方下部が前記横方向において起伏を繰り返す状態は、前記横方向に並ぶ複数条のタックおよびギャザーのいずれかによって形成されている。
【００１０】
本考案の実施態様の他の一つにおいて、前記ドレスは、前記後身頃を下側にして平面上に広げると、前記後身頃の全体が前記平面に倣って平坦となる一方、前記前身頃における前記前方下部が前記平面の上方に向かって凸となるように膨らんだ状態になるものである。
【００１１】
本考案の実施態様のさらに他の一つにおいて、前記肩ひもは、前記ドレスとは別体のスリーブ部材の着脱が可能に形成されている。
【００１２】
本考案の実施態様のさらに他の一つにおいて、前記上方前部および前記上方後部のうちの少なくとも一方における内面には、前記上方前部および前記上方後部のいずれかにおける首周りに沿って、見返しが縫合されている。
【考案の効果】
【００１３】
本考案に係るドレスは、前身頃と後身頃とが、両側のうちの一方において互いに縫合されて一体となり、両側のうちのもう一方においては、連結部材を介しての繰り返しの連結が可能な状態にあるから、前身頃と後身頃とを横方向へ広げることによって、それを着用しようとする者が寝たきりの状態にあっても、介護者は着用させることが容易になる。また、このドレスでは、前身頃における前方下部の横方向の寸法が後身頃における後方下部の横方向の寸法よりも大きいから、その前方下部には、例えばドレスの横方向において起伏を繰り返すひだ等を作ることによって、寝たままで着用するドレスであっても、そのドレスの装飾効果を高めることができる。
【図面の簡単な説明】
【００１４】
図面は、本開示に係る本発明の特定の実施の形態を示し、発明の不可欠な構成ばかりでなく、選択的及び好ましい実施の形態を含む。
【図１】（Ａ）ドレスの正面図、（Ｂ）ドレスの背面図。
【図２】（Ａ）ドレスの右側面図、（Ｂ）ドレスの左側面図。
【図３】ドレスの前身頃と後身頃との内面を示すドレスの平面図。
【図４】着用状態にあるドレスの正面図。
【図５】図４のＶ−Ｖ線矢視図。
【図６】図４のＶＩ−ＶＩ線矢視図。
【図７】前方下部のひだが消失するところまで前方下部を矢印で示す横方向へ伸展させたときのドレスの状態を仮想線で示す図３と同様な図。
【考案を実施するための形態】
【００１５】
添付の図面を参照して、本考案に係るドレス１０の詳細を説明すると、以下のとおりである。
【００１６】
図１，２において、図１の（Ａ）はドレス１０の正面図であり、（Ｂ）はドレス１０の背面図であり、図２の（Ａ）はドレス１０の右側面図であり、（Ｂ）は左側面図である。なお、本考案でいう右と左は、ドレス１０の着用者１（図４参照）にとっての右と左とを意味している。これらの図において、ドレス１０は、互いに直交する上下方向Ｙと横方向Ｘとを有し、前身頃１１と後身頃１２とを含んでいる。前身頃１１と後身頃１２とのそれぞれは、着用者１のウエスト２（図４参照）よりも上方の部分の被覆を目的とする前方上部１１ａと後方上部１２ａとを有するとともに、ウエスト２とその下方部分との被覆を目的とする前方下部１１ｂと後方下部１２ｂとを有する。前身頃１１と後身頃１２とのそれぞれはまた、横方向Ｘの両側にあって上下方向Ｙへ延びる左側縁部１１ｅ，１２ｅと、右側縁部１１ｄ，１２ｄとのそれぞれを有する。前身頃１１と後身頃１２とのそれぞれはさらにまた、左肩ひも１１ｇ，１２ｇと右肩ひも１１ｈ，１２ｈとを有する。前身頃１１の肩ひも１１ｇ,１１ｈのそれぞれは、後身頃１２の肩ひも１２ｇ，１２ｈのそれぞれに対して、後記するように着脱可能に形成されている。
【００１７】
図１の（Ａ）において明らかなように、前身頃１１の前方上部１１ａには、その前方上部１１ａの外面を形成する布地２１に斜めに延びる複数条の装飾用ひだ１６が形成されている。前方上部１１ａはまた、横方向Ｘ、換言すると胴回り方向へ延びる縫合線１８においてダーツ１９が形成されている前身頃１１の前方下部１１ｂに縫合されている。その前方下部１１ｂを形成する布地２２にはおおむね上下方向Ｙへ延びる複数条のひだ１７が形成されている。ひだ１７は、図における横方向Ｘにおいて、換言すると胴回り方向において起伏を繰り返している。すなわち、前方下部１１ｂは、フレアースカートやギャザースカートの如き様相を呈している。
【００１８】
図１（Ｂ）において明らかなように、後身頃１２は、後方上部１２ａと後方下部１２ｂと肩ひも１２ｇ，１２ｈとに広がる１枚の布地２３によって形成されていて、着用者１の背中に接触するような折り目や縫い目が形成されておらず、肩ひも１２ｇ，１２ｈの部分を除けば、滑らかで平坦な状態にある。前身頃１１と後身頃１２とは、右側縁部１１ｄと１２ｄとが縫合線３０において縫合されて、分離することがないように一体化されている。左側縁部１１ｅ，１２ｅとは、後記ファスナ手段３１を介して分離可能に連結されている。また、右肩ひも１１ｈと１２ｈ、および左肩ひも１１ｇと１２ｇも後記ファスナ手段３２を介して分離可能に連結されている。
【００１９】
図３は、図１におけるドレス１０の前身頃１１と後身頃１２との左側縁部１１ｅと１２ｅとの連結および右肩ひも１１ｇと１２ｇ、左肩ひも１１ｈと１２ｈとの連結を解いて、前身頃１１と後身頃１２とをほぼ平坦となる状態にまで伸展させたときの前身頃１１と後身頃１２との内面を示すドレス１０の平面図であって、後身頃１２の横方向Ｘの中心は縦方向に延びる線Ｙに平行している。前身頃１１の左側縁部１１ｅの内面１１ｊには、ファスナ手段３１の一例である面ファスナのフック部材３１ａが縫い付けられている。後身頃１２における左側縁部１２ｅの外面１２ｊには、ファスナ手段３１の一例である面ファスナのループ部材３１ｂが取り付けられている。また、前身頃１１の肩ひも１１ｇ,１１ｈの内面１１ｊには、ファスナ手段の一例である雄型フック部材３２ａが取り付けられ、後身頃１２の肩ひも１２ｇ，１２ｈの外面１２ｊには、雌型フック部材３２ｂが取り付けられている。図３から明らかなように、後身頃１２は、継ぎ目のない１枚のシートによって形成されていて、例えばベッドで使用するシーツと同様に、平坦に広げることが可能であって、着用者１がベッドで寝ているときであっても、その背中に当接するような縫い目や起伏がない。また、図示のように展開することのできるドレス１０は、ベッドで寝たきりの状態にある着用者１に対して、例えばおむつや寝間着を着用させるときの要領で、容易に着用させることができる。このような可能性のある場合には、後見頃１２を縫い目のない同じ大きさの複数枚のシートで重ね合わせて形成することもできる。
【００２０】
図４は、着用者１によって着用されているドレス１０の前身頃１１を示す図であって、ドレス１０は図１の（Ａ）におけるドレス１０と同じ状態にある。ドレス１０は、着用者１が寝たきりの状態にあっても、前身頃１１の前方上部１１ａにおける装飾用のひだ１６や、前方下部１１ｂにおけるひだ１７によって、着飾ったときの気持ちを味わうことができる。ドレス１０においての装飾要素は、ひだ１６やひだ１７に限定されるわけではない。装飾用のボタンやリボンを付けたり、適宜の色に染色されていたり、適宜の色彩や織模様を有する布地を合わせて使用することによって、ドレス１０の装飾効果をさらに高めることができる。
【００２１】
図５は、図４におけるＶ−Ｖ線矢視図であって、着用者１の身体の胸部における断面形状４１とドレス１０の前方上部１１ａと後方上部１２ａとが示されている。仮想線で示された前身頃１１における前方上部１１ａと後身頃１２における後方上部１２ａとは、それぞれの横方向Ｘにおける寸法を示すとともに、連結部材３１の取り付け位置とを示している。図示例の前方上部１１ａは、装飾用ひだ１６が形成されていて、前方上部１１ａの外面を形成する第１布地２１ａと、図３において平坦に広がって前方上部１１ａの内面を形成する第２布地２１ｂを含んでいる。図示例では、前方上部１１ａと後方上部１２ａにおける横方向Ｘの寸法がほぼ同じとなるように作られていて、胸囲の側方部分において、前身頃１１と後身頃１２とが分離可能に連結されている。胸囲の大きさにもよるが、前方上部１１ａと後方上部１２ａとの横方向Ｘの寸法がほぼ同じであって、図示の位置において、すなわち胸囲の側方において前方上部１１ａと後方上部１２ａとを連結させることができるときには、連結部材３１ａと連結部材３１ｂとを重ね合わせて押圧すればよいから、連結させるための作業、すなわち圧着させる作業は容易である。そのような位置と状態とにあるときの連結部材３１ａと３１ｂとは、長く伸ばした時の腕に隠れやすく、人目につきにくく、ドレス１０の美観やドレス１０で着飾ったときの状態を損ねることがない。なお、ドレス１０において、前方上部１１ａの横方向Ｘの寸法は、後方上部１２ａの横方向Ｘの寸法よりも大きくすることが可能である。
【００２２】
図６は、図４におけるＶＩ−ＶＩ線矢視図である。前方下部１１ｂと後方下部１２ｂとの間において、ひだ１７を有する前方下部１１ｂは、ひだ１７が消失するように横方向Ｘに伸展させたときの横方向Ｘにおける寸法は、後方下部１１ｂを横方向Ｘへ伸展させたときの横方向Ｘの寸法よりもはるかに大きいが、前方上部１１ａと後方上部１２ａとは、図示されているように、着用者１が使用している布団の上面６０の近くで連結することができる。ドレス１０を着用しているときに、連結手段３１が布団の上面６０または上面６０の近くにあるときには、連結手段３１は人目につくということもなく、ドレス１０で着飾ったときの状態を損ねることがない。ただし、本考案は、前身頃１１の前方上部１１ａおよび前方下部１１ｂにおける装飾要素を図示例のひだ１６やひだ１７、ダーツ１９に限定するものではない。ひだは、横方向Ｘへ延びるものであってもよく、また、ひだ１６やひだ１７とともに、適宜形状のレース飾りや造花を使用することもできる。ただし、前方下部１１ｂの横方向Ｘの寸法は、図６に示されるように、後方下部１２ｂの横方向Ｘの寸法よりも大きく作られる。
【００２３】
図７は、前方下部１１ｂのひだ１７が消失するところまで前方下部１１ｂを矢印Ｐで示す横方向へ伸展させたときのドレス１０の状態を仮想線で示す図３と同様な図である。前方下部１１ｂの横方向Ｘの寸法Ｗ１は、後方下部１２ｂの横方向Ｘの寸法よりもはるかに大きく、着用状態にあるドレス１０を図６の如くに観察したとき、前方下部１１ｂは連結部材３１を使用する後方下部１２ｂとの連結部位を隠蔽するのに十分な大きな寸法Ｗ１を有している。また、図７のドレス１０では、前方上部１１ａと後方上部１２ａとの内面に襟周りと肩ひも１１ｇ，１１ｈ，１２ｇ，１２ｈとを覆うことのできる見返し４２，４３のそれぞれが取り付けられている。ただし、ドレス１０が、前方上部１１ａや後方上部１２ａの内面において見返し４２や４３が作る段差を嫌うものである場合には、見返し４２や４３を使用することのなくドレス１０を作ることができる。図７のドレス１０ではまた、ドレス１０とは別体の袖部材５０ａ，５０ｂを用意することができる。袖部材５０ａと５０ｂとには、ドレス１０の後身頃１２の肩ひも１２ｇ，１２ｈに向かって延びる延出部５１ａ，５１ｂがあり、延出部５１ａ，５１ｂのそれぞれには連結手段であるフック部材５２ａ，５２ｂが取り付けられている。また、肩ひも１２ｇ，１２ｈのそれぞれにはフック部材５２ａ，５２ｂのそれぞれが離脱可能に係合するフック部材５３，５４が取り付けられている。したがって、着用者１の好みに応じて、またはドレス１０のデザインに応じて袖部材５０ａ，５０ｂをドレス１０に取り付けることができる。
【符号の説明】
【００２４】
１      ドレス着用者
１０    ドレス
１１    前身頃
１１ａ    前方上部
１１ｂ    前方下部
１１ｇ、１１ｈ    肩ひも
１２    後身頃
１２ａ    後方上部
１２ｂ    後方下部
１２ｇ、１２ｈ    肩ひも
１６    ひだ
１７    ひだ
３１ 、３１ａ、３１ｂ    連結部材
３２      連結部材
Ｘ    横方向
Ｙ    上下方向
【図１】
0003230424.tif 000003
【図２】
0003230424.tif 000004
【図３】
0003230424.tif 000005
【図４】
0003230424.tif 000006
【図５】
0003230424.tif 000007
【図６】
0003230424.tif 000008
【図７】
0003230424.tif 000009